(57)【要約】      （修正有）【課題】磁界を発生する外部機器の接続状態が有から無に変化した場合に、適切な表示制御を行うことができる携帯電子機器を提供する。【解決手段】情報を表示する表示部１０７と、地磁気を検出する地磁気センサ１０８と、地磁気センサ１０８が検出した地磁気に基づいて方位を算出し、その算出した方位の情報を表示部１０７に表示する制御部１５０と、を備えた携帯電子機器であって、制御部１５０は、ＡＣ／ＤＣ変換用のコイルを備えたＡＣチャージャーの接続状態が有から無に変化すると、表示部１０７による前記方位情報の表示を停止する、ことを特徴とする携帯電子機器。【選択図】図２
2010154538.tif 000002
【特許請求の範囲】
【請求項１】
情報を表示する表示部と、
地磁気を検出する地磁気センサと、
前記地磁気センサが検出した地磁気に基づいて方位を算出し、
当該算出した方位の情報を前記表示部に表示する制御部と、
を備えた携帯電子機器であって、
前記制御部は、ＡＣ／ＤＣ変換用のコイルを備えたＡＣチャージャーの接続状態が有から無に変化すると、前記表示部による前記方位情報の表示を停止する、ことを特徴とする携帯電子機器。
【請求項２】
情報を表示する表示部と、
地磁気を検出する地磁気センサと、
前記地磁気センサが検出した地磁気に基づいて方位を算出し、
当該算出した方位の情報を前記表示部に表示する制御部と、
を備えた携帯電子機器であって、
前記制御部は、ＡＣ／ＤＣ変換用のコイルを備えたＡＣチャージャーの接続状態が有から無に変化すると、前記表示部に表示される前記方位情報の更新を停止する、ことを特徴とする携帯電子機器。
【請求項３】
前記ＡＣチャージャーは、外部機器とデータの入出力を行うためのコネクタに含まれる充電端子に接続される、ことを特徴とする請求項１又は請求項２に記載の携帯電子機器。
【請求項４】
地磁気センサと、表示部と、制御部とを備えた携帯電子機器の制御方法であって、
地磁気に基づく方位を含む情報を前記表示部に表示させる方位表示ステップ
を有し、
ＡＣ／ＤＣ変換用のコイルを備えたＡＣチャージャーの接続状態が有から無に変化すると、前記方位表示ステップにおける前記表示部による前記方位情報の表示を停止する、ことを特徴とする携帯電子機器の制御方法。
【請求項５】
地磁気センサと、表示部と、制御部とを備えた携帯電子機器の制御方法であって、
地磁気に基づく方位を含む情報を前記表示部に表示させる方位表示ステップ
を有し、
ＡＣ／ＤＣ変換用のコイルを備えたＡＣチャージャーの接続状態が有から無に変化すると、前記方位表示ステップにおける前記表示部に表示される前記方位情報の更新を停止する、ことを特徴とする携帯電子機器の制御方法。
【発明の詳細な説明】
【技術分野】
【０００１】
本発明は、地磁気センサを搭載し、その検出結果に基づいて算出した方位を表示することが可能な携帯電子機器及びその制御方法に関するものである。
【背景技術】
【０００２】
近年、携帯電話機に代表される携帯型電子機器はますます高機能化が進んでいる。例えば下記の特許文献に示すように、地磁気センサによって検出される地磁気に基づいて方位を算出することが可能な携帯電子機器が知られている。
【先行技術文献】
【特許文献】
【０００３】
【特許文献１】特開２００３−２８９３６６号公報
【特許文献２】特開２００５−１１００３１号公報
【特許文献３】特開２００５−１０７３２４号公報
【特許文献４】特開２００５−１０７３２３号公報
【特許文献５】特開２００５−３００８９６号公報
【特許文献６】特開２００５−２９１９３６号公報
【特許文献７】特開２００５−２９１９３５号公報
【特許文献８】特開２００５−２９１９３４号公報
【特許文献９】特開２００５−２９１９３３号公報
【特許文献１０】特開２００５−２９１９３２号公報
【特許文献１１】特開２００５−２９１９３１号公報
【発明の概要】
【発明が解決しようとする課題】
【０００４】
一方、携帯電話機に搭載される音楽プレーヤの機能は年々充実してきており、より高音質のオーディオ再生が求められるようになってきているが、携帯電話機は筐体のサイズが限られており、大口径のスピーカを搭載できないため、低音域を良好に再生できないという問題がある。そこで昨今では、携帯電話機に接続する外部機器として、充電器にスピーカを搭載するものが開発されている。これにより、充電器によって携帯電話機のバッテリを充電しながら、その充電器に付属する大口径のスピーカによって高音質のオーディオ再生を行うことができるものである。しかしながら、このような新しい構成を外部機器に付した場合は、これまでの携帯電話機に備えられていた方位算出機能との競合が生じてしまう。そのため、方位算出機能が算出する方位に誤りが生じうる。
【０００５】
本発明が解決しようとする課題は、方位を表示することが可能な携帯電子機器及びその制御方法において、磁界を発生する外部機器の接続状態が有から無に変化した場合に、適切な表示制御を行うことを目的とする。
【課題を解決するための手段】
【０００６】
本発明は、情報を表示する表示部と、地磁気を検出する地磁気センサと、前記地磁気センサが検出した地磁気に基づいて方位を算出し、当該算出した方位の情報を前記表示部に表示する制御部と、を備えた携帯電子機器であって、前記制御部は、ＡＣ／ＤＣ変換用のコイルを備えたＡＣチャージャーの接続状態が有から無に変化すると、前記表示部による前記方位情報の表示を停止する、ことを特徴とする。
【０００７】
本発明は、情報を表示する表示部と、地磁気を検出する地磁気センサと、前記地磁気センサが検出した地磁気に基づいて方位を算出し、当該算出した方位の情報を前記表示部に表示する制御部と、を備えた携帯電子機器であって、前記制御部は、ＡＣ／ＤＣ変換用のコイルを備えたＡＣチャージャーの接続状態が有から無に変化すると、前記表示部に表示される前記方位情報の更新を停止する、ことを特徴とする。
【０００８】
好適には、前記ＡＣチャージャーは、外部機器とデータの入出力を行うためのコネクタに含まれる充電端子に接続される、ことを特徴とする。
【０００９】
本発明は、地磁気センサと、表示部と、制御部とを備えた携帯電子機器の制御方法であって、地磁気に基づく方位を含む情報を前記表示部に表示させる方位表示ステップを有し、ＡＣ／ＤＣ変換用のコイルを備えたＡＣチャージャーの接続状態が有から無に変化すると、前記方位表示ステップにおける前記表示部による前記方位情報の表示を停止する、ことを特徴とする。
【００１０】
本発明は、地磁気センサと、表示部と、制御部とを備えた携帯電子機器の制御方法であって、地磁気に基づく方位を含む情報を前記表示部に表示させる方位表示ステップを有し、ＡＣ／ＤＣ変換用のコイルを備えたＡＣチャージャーの接続状態が有から無に変化すると、前記方位表示ステップにおける前記表示部に表示される前記方位情報の更新を停止する、ことを特徴とする。
【発明の効果】
【００１１】
本発明の携帯電子機器及びその制御方法では、方位を表示することが可能な携帯電子機器及びその制御方法において、磁界を発生する外部機器の接続状態が有から無に変化した場合に、適切な表示制御を行うことができる。
【図面の簡単な説明】
【００１２】
【図１】携帯電子機器の外観を示す図である。
【図２】本発明の実施形態に係る携帯電子機器の構成例を示す図である。
【図３】携帯電子機器のバッテリ部の充電を行うスピーカ付き充電器の一例を示す図である。
【図４】待ち受け時における方位の表示例を示す図である。
【図５】方位の算出と表示に係わる動作の一例を示すフローチャートである。
【発明を実施するための形態】
【００１３】
図１は、携帯電子機器１００としての携帯電話機の外観を示す図である。
【００１４】
図１に示した携帯電子機器１００の外面には、数字キーなどのキー入力部１０３と、情報を表示する表示部１０７がある。そして、携帯電子機器１００の内部には、地磁気を検出する地磁気センサ１０８と、中央演算装置を主要部品とする制御部１５０がある。また、携帯電子機器１００の底面には携帯電子機器１００のバッテリの充電を行うための一対の充電端子Ｔcがある。携帯電子機器１００の側面には外部コネクタＴioを有し、携帯電子機器１００をパソコンと接続したりしてデータの入出力を行う。外部コネクタＴioには、バッテリへの充電を行うための第２の充電端子Ｔdがある。
【００１５】
図２は、図１に示したような外観からなる携帯電子機器１００の構成例を示す図である。
【００１６】
図２に示す携帯電子機器１００は、無線通信部１０１と、ＧＰＳ信号受信部１０２と、キー入力部１０３と、音声処理部１０４と、スピーカ１０５と、マイクロフォン１０６と、表示部１０７と、地磁気センサ１０８と、記憶部１０９と、充電器検出部１１０と、バッテリ部１１１と、制御部１５０とを有する。
【００１７】
無線通信部１０１は、通信ネットワークに接続される不図示の基地局と無線通信を行う。例えば通信部１０１は、制御部１５０から供給される送信データに所定の変調処理を施して無線信号に変換し、アンテナから送出する。また、アンテナにおいて受信される基地局からの無線信号に所定の復調処理を施して受信データに変換し、制御部１５０に出力する。
【００１８】
ＧＰＳ信号受信部１０２は、既知の軌道を周回する３つまたはそれ以上のＧＰＳ衛星から送信されるＧＰＳ信号を受信し、これに増幅、ノイズ除去、変調等の信号処理を施して、携帯電話機１００の地理的位置を算出するために必要な情報を取得する。
【００１９】
キー入力部１０３は、例えば電源キー、通話キー、数字キー、文字キー、方向キー、決定キーなど、各種の機能が割り当てられたキーを有しており、これらのキーがユーザによって操作された場合に、その操作内容に対応する信号を発生し、これをユーザの指示として制御部１５０に入力する。
【００２０】
音声処理部１０４は、スピーカ１０５において出力される音声信号やマイクロフォン１０６において入力される音声信号の処理を行う。すなわち、マイクロフォン１０６から入力される音声信号に増幅、アナログ−デジタル変換、符号化等の信号処理を施し、デジタルの音声データに変換して制御部１５０に出力する。また、制御部１５０から供給される音声データに復号化、デジタル−アナログ変換、増幅等の信号処理を施し、アナログの音声信号に変換してスピーカ１０５に出力する。
【００２１】
また、音声処理部１０４はスピーカ２０１を搭載する充電器２００（図３参照）へ端子Ｔ１を介してオーディオ信号を供給する。すなわち、音声処理部１０４は、外部機器としての充電器２００に設けられたスピーカ２０１に端子Ｔ１を介してオーディオ信号を供給するオーディオ信号供給部となっている。
【００２２】
表示部１０７は、例えば液晶表示パネルや有機ＥＬパネルなどの表示デバイスを用いて構成されており、制御部１５０から供給される映像信号に応じた画像を表示する。例えば、発信時における発信先の電話番号、着信時における着信相手の電話番号、受信メールや送信メールの内容、日付、時刻、バッテリ残量、待ち受け画面などの各種の情報を表示する。
【００２３】
また表示部１０７は、ＧＰＳ機能によりナビゲーションを行う場合や待ち受け画面を表示している場合などにおいて、地磁気センサ１０８の検出結果に基づく方位の情報を表示する（図４参照）。
【００２４】
地磁気センサ１０８は、方位の算出に用いる地磁気を検出する。
【００２５】
例えば地磁気センサ１０８は、携帯電子機器１００の筐体内の回路基板上に設定された所定の座標系（２軸若しくは３軸）を基準として、その各軸方向の地磁気を検出する。地磁気の検出には、例えばコイルの励磁を利用する方法や、ホール効果を利用する方法、磁気抵抗素子を利用する方法など、種々の方法を用いることが可能である。
【００２６】
記憶部１０９は、制御部１５０において処理に利用される各種のデータを記憶する。例えば、制御部１５０に備わるコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
【００２７】
記憶部１０９は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２８】
バッテリ部１１１は、例えばリチウムイオン電池やニッケル水素電池等の二次電池（バッテリ）を含んで構成されており、バッテリに発生する電源電圧を機器の各部に供給する。
【００２９】
図３は、バッテリ部１１１の充電を行うスピーカ付き充電器２００の一例を示す図であり、充電器２００に携帯電子機器１００が装着された状態（図３（Ａ））と取り外された状態（図３（Ｂ））をそれぞれ示す。図３には、携帯電子機器１００内に組み込まれた地磁気センサ１０８が示されている。
【００３０】
バッテリ部１１１の二次電池は、例えば図３（Ａ）に示すように、携帯電子機器１００
を充電器２００に装着した状態で充電される。すなわち携帯電子機器１００に設けられた充電端子Ｔcと充電器２００に設けられた外部端子Ｔccとが当接され、これらの端子を介
して充電器２００からバッテリ部１１１への充電電流が流れる。
【００３１】
このとき、携帯電子機器１００の端子Ｔ１と充電器２００の不図示の入力端子も電気的に結合されるため、音声処理部１０４から充電器２００のスピーカ２０１へオーディオ信号を供給することが可能になる。
【００３２】
充電器検出部１１０は、携帯電子機器１００が充電器２００へ装着されているか否かを検出する。例えば、充電器２００からバッテリ部１１１への電力供給の有無や、携帯電子機器１００とバッテリ部１１１との電気的な接続の有無、物理的な接触の有無などを検出する。
【００３３】
検出する具体的な例としては、充電器２００に設けられた外部端子Ｔccと電気的に接続する携帯電子機器１００の充電端子Ｔc（図３参照）の間に加わる電圧を充電器検出部１
１０が監視し、当該外部端子の間に電圧が加わっている状態では、携帯電子機器１００が充電器２００と接続されたとすることができる。なお、当該外部端子の間に電圧が加わっていない状態では、携帯電子機器１００が充電器に接続されていないと検出することができる。
【００３４】
図２の説明に戻る。
【００３５】
制御部１５０は、携帯電子機器１００の全体的な動作を統括的に制御する。
【００３６】
すなわち、携帯電子機器１００の各種の処理（回線交換網を介して行われる音声通話、電子メールの作成と送受信、インターネットのＷｅｂサイトの閲覧、地図を利用したナビゲーションなど）がキー入力部１０３の操作に応じて適切な手順で実行されるように、上述した各ユニットの動作（無線通信部１０１における信号の送受信、ＧＰＳ信号受信部１０２におけるＧＰＳ信号の受信、音声処理部１０４における音声の入出力、地磁気センサ１０８からの地磁気データの取得、表示部１０７における画像の表示など）を制御する。
【００３７】
例えば制御部１５０は、記憶部１０９に格納されるプログラム（オペレーティングシステム、アプリケーション等）に基づいて処理を実行するコンピュータを備えており、このプログラムにおいて指示された手順に従って上述した処理を実行する。すなわち、記憶部１０９に格納されるオペレーティングシステムやアプリケーションプログラム等のプログラムから命令コードを順に読み込んで処理を実行する。
【００３８】
制御部１５０は、ナビゲーションを開始するようにキー入力部１０３へ指示が入力されると、ＧＰＳ信号に基づいて現在地の地理的位置を把握し、これを地図によって表示部１０７に表示する。
【００３９】
例えば制御部１５０は、ＧＰＳ信号受信部１０２によってＧＰＳ信号を受信し、その情報を無線通信部１０１によって通信ネットワーク上のサーバ装置に送信する。サーバ装置は、このＧＰＳ信号の情報に基づいて携帯電子機器１００の地理的な位置（例えば緯度や経度など）を算出し、その算出結果の位置に関する情報と当該位置周辺の地図の情報を通信ネットワーク経由で携帯電子機器１００に送信する。制御部１５０は、サーバ装置から送られてくるこれらの情報をもとに、現在地の地理的位置を表す地図の画像を表示部１０７に表示する。
【００４０】
制御部１５０は、上記のようなナビゲーション処理を行っている場合や通常の待ち受け画面を表示している場合などにおいて、表示部１０７に方位の情報を表示する。すなわち、地磁気センサ１０８が検出した地磁気のデータを取得し、これに基づいて方位を算出し、これを方位の情報として表示部１０７に表示する。制御部１５０は、例えば一定の周期で方位の算出を行い、その算出結果に応じて表示部１０７に表示する方位の情報を周期的に更新する。
【００４１】
その他、制御部１５０は、キー入力部１０３からの音楽再生指示などの入力に伴い、圧縮されて記憶部１０９に格納されている音声データを復号してアナログ音声信号に変換するアプリケーションプログラムを記憶部１０９から読み出して実行することができる。このアプリケーションプログラムは、起動されると、記憶部１０９に記憶される音声データの再生に関する指示を受け付けるよう表示部１０７に音楽再生に関する画面を表示させたり、キー入力部１０３からの指示に基づき、再生楽曲の変更、音量の変更、再生中断、終了などの操作を受け付ける。受け付けた要求は、制御部１５０から音声処理部１０４と表示部１０７に送信されて処理させる。
【００４２】
方位の情報は、例えば図４に示すように、コンパスをかたどったアイコンとして表示部１０７の画面に表示される。
【００４３】
図４の例において、コンパスのアイコンＰ１が示す矢印は特定の方位（例えば北）を表しており、携帯電子機器２００の向きの変化に応じて方位の算出結果（方位データ）が変化すると、これに応じてこの矢印の向きも変化する。
【００４４】
ところで、図３（Ａ）のように、携帯電子機器１００が外部機器としてスピーカ付の充電器２００に装着されている場合を考える。充電器２００はスピーカ２０１を有しており、そのスピーカは磁石を使用するボイスコイル型のスピーカとする。なおここでは、充電器２００はスピーカ２０１付のものを想定している。この状態では上記の説明の通り、充電器検出部１１０が、携帯電子機器１００に設けられた充電端子Ｔcと、充電器２００に設けられた外部端子Ｔccとが当接されたことを検出し、携帯電子機器１００が充電器に接続されたことを検出する。
【００４５】
図３（Ａ）のように、携帯電子機器１００がスピーカ付の充電器２００に装着されている状態で、携帯電子機器１００の表示部１０７に地磁気センサ１０８の検出結果に基づく方位の情報を表示させる場合を考える。
【００４６】
携帯電子機器１００の表示部１０７に方位の情報を表示させるために、制御部１５０は、方位の算出と表示にかかわる構成要素として、方位算出部１５１と表示制御部１５２を有する。
【００４７】
方位算出部１５１は、地磁気センサ１０８の検出結果を周期的に取得し、この検出結果に基づいて方位を算出する。そして、算出結果を方位データとして表示制御部１５２に出力する。表示制御部１５２は、方位算出部１５１から方位データを周期的に取得し、これに応じた方位の情報が表示部１０７において表示されるように制御を行う。
【００４８】
このようにすることで図４（ａ）に示すように方位の情報が表示部１０７の画面に表示される。よって、図３（Ａ）のように、携帯電子機器１００がスピーカ付の充電器２００に装着されている状態で、携帯電子機器１００の表示部１０７に方位の情報が表示される。
【００４９】
ここで、図３（Ａ）のように、携帯電子機器１００をスピーカ付の充電器２００に装着し、携帯電子機器１００の表示部１０７に方位の情報が表示されたままの状態で、スピーカ２０１によってオーディオ再生を行うことを考える。そのためには、制御部１５０から供給される音声データに復号化、デジタル−アナログ変換、増幅等の信号処理を施し、アナログの音声信号に変換する。そして、その音声信号を、オーディオ信号供給部としての音声処理部１０４が、外部機器としての充電器２００に設けられたスピーカ２０１に端子
Ｔ１を介してオーディオ信号を供給する。
【００５０】
充電器２００に設けられたスピーカ２０１は、オーディオ信号の供給を受けると、ボイスコイルにそのオーディオ信号が流れる。ボイスコイルはオーディオ信号が流れると、スピーカの磁石からの磁界によりローレンツ力を受けて振動し、音声出力が開始される。ボイスコイルにオーディオ信号が流れると変動磁界が発生し、携帯電子機器１００内の地磁気センサ１０８にもその磁界が加わる。また、変動磁界により携帯電子機器１００内の部品が着磁してしまう場合もある。
【００５１】
このような状態では、方位算出部１５１が引き続いて地磁気センサ１０８の検出結果を取得し、この検出結果に基づいて方位を算出しても、誤った方位を算出し続けることになる。そして、方位算出部１５１が算出した誤った方位データを基に、表示制御部１５２が方位の情報を表示部１０７に表示させても、ユーザに方位を誤認させることになる。
【００５２】
なお、携帯電子機器１００内部の部品の着磁によるオフセットのキャリブレーションを行っても、変動磁界により携帯電子機器１００内の部品の着磁の方向が絶えず変動する状況の下では、オフセットが常に生ずる。そのため、キャリブレーション後に、表示部１０７に表示される方位も正しいわけではない。
【００５３】
そこで、表示制御部１５２は、スピーカ２０１が音声出力を行なう場合には、表示部１０７への方位の表示を停止する。または、方位表示部１５２は、表示部１０７への方位の情報の更新を停止、すなわち方位の情報を更新前の値にて固定させる。
【００５４】
スピーカ２０１が音声出力をする場合は、制御部１５０が音声データに復号化、デジタル−アナログ変換、増幅等の信号処理を施し、アナログの音声信号に変換したり、あるいは音声出力のためのアプリケーションを起動させる処理が生じるので、制御部１５０は音声出力が行われていることを検知することができる。したがって、表示制御部１５２はスピーカ２０１の音声出力の開始あるいは音声出力を支持する操作の入力に伴って、表示部１０７への方位の表示や、更新を停止させることができる。
【００５５】
表示部１０７への方位の表示を停止させるためには、例えば図４において表示部１０７に方位を示すアイコンＰ１が表示されている状態から、そのアイコンＰ１の表示を消すことを考えることができる。
【００５６】
表示部１０７への方位の情報の更新を停止させるためには、図４（ａ）において方位を示すアイコンＰ１が表示されている状態で、方位のデータが変化しても、そのデータは誤ったものであるとして、図４（ｂ）においてアイコンＰ１を表示させないことも考えられる。すなわち、図４（ａ）において示されているアイコンＰ１の表示がそのままホールドされた状態になるように、表示制御部１５２がその制御を行う。その間、アイコンＰ１の色を変えたり、点滅させるとホールドであることがわかりやすく、必ずしも正しい表示ではないことがわかる。
【００５７】
図５は、以上説明した方位の算出と表示に係わる動作の一例を示すフローチャートである。
【００５８】
方位算出部１５１は、所定の周期で地磁気センサ１０８に地磁気データを要求する（ステップＳＴ３０１）。地磁気センサ１０８は、この要求に応答して、方位算出部１５１へ周期的に地磁気データを出力する（ステップＳＴ３０２）。方位算出部１５１は、地磁気センサ１０８から取得した地磁気データに基づいて、周期的に方位を算出する（ステップＳＴ３０３）。
【００５９】
表示制御部１５２は、方位の算出周期よりも長い周期で方位算出部１５１に方位データを要求する（ステップＳＴ４０１）。
【００６０】
ステップＳＴ４０１において表示制御部１５２が方位データを要求したとき、オーディオ信号出力部（１０４）は充電器２００に設けられたスピーカ２０１にオーディオ信号を出力していない状態となっている。そのため、方位算出部１５１はステップＳＴ３０３で算出した方位データを表示制御部１５２に出力し（ステップＳＴ４０２）、表示制御部１５２はこの方位データに応じて表示部１０７に方位を表示されるように要求する（ステップＳＴ４０３）。この場合、表示部１０７に表示される方位の情報は、地磁気センサ１０８の検出結果に基づいた実際の方位を表す情報となる。
【００６１】
一方で、ステップＳＴ４０３において、表示制御部１５２が方位表示の要求をした後、オーディオ信号出力部（１０４）がステップＳＴ５０１のように充電器２００に設けられたスピーカ２０１にオーディオ信号を出力する通知を行うこともある。このような場合、表示制御部１５２はステップＳＴ４０３のように、方位表示の要求をせず、ステップＳＴ４０４のように表示部１０７に表示させることを停止する要求をする。
【００６２】
以上のように本発明は、外部機器に設けられたスピーカにオーディオ信号を供給するオーディオ信号供給部を有し、方位を表示することが可能な携帯電子機器において、オーディオ信号をスピーカに出力している間は、方位の表示を停止させたり、又は、方位の情報の更新を停止させることを本旨としている。そのため、携帯電子機器がオーディオ信号をスピーカに出力した場合であっても、携帯電子機器に誤った方位の表示が行われることを極力回避することができる。
【００６３】
その他に、図１に示した携帯電子機器１００の充電は、図３に示した充電器２００を使用しなくても行うことができる。
【００６４】
図１に示した携帯電子機器１００の外部コネクタＴioは、携帯電子機器１００をパソコンと接続したりしてデータの入出力を行うという目的の他に、上述のバッテリへの充電回路に接続される第２の充電端子Ｔd（第１の充電端子はＴcである）をも有している。この第２の充電端子Ｔdに接続された商用電源に接続されるＡＣチャージャーからの充電電流
を受付け、充電回路へ供給して充電を行うこともできる。
【００６５】
ＡＣチャージャーにもＡＣ／ＤＣ変換用などのためにコイルなどが実装されており、多少の磁界変動は発生する。よって、充電器２００を使用するときと同様に、携帯電子機器１００へのＡＣチャージャーの接続の有から無へ状態変化したときには、同様に方位の表示を停止させたり、又は、方位の情報の更新を停止させてもよい。
【００６６】
しかしながら、充電器２００のようなスピーカ２０１は有さず、接続有無により大きな磁界変動を生じない場合には、携帯電子機器１００の充電回路への電力供給の有判断に加えて、携帯電子機器１００への充電器２００の物理的な接触有検出や外部コネクタＴioの使用している状態の非検出により、充電器２００が携帯電子機器１００へ接続されていることを制御部１５０が判断し、このときだけに方位の表示を停止させたり、方位の情報の更新を停止させるようにしてもよい。こうすることで、携帯電子機器１００の表示部１０７における方位の表示の停止の回数を少なくすることができる。
【００６７】
また、本実施形態では本発明の携帯電子機器の一例として携帯電子機器１００について説明したが、本発明はこれに限定されず、例えば、ＰＨＳ（Ｐｅｒｓｏｎａｌ  Ｈａｎｄｙｐｈｏｎｅ  Ｓｙｓｔｅｍ）、ポータブルゲーム機、ポータブルナビゲーション装置等、地磁気センサを有し方位を検出する携帯電子機器に適用可能である。
【００６８】
本発明の通信端末は携帯電話機に限定されない。例えば、ＰＤＡ（Ｐｅｒｓｏｎａｌ  Ｄｉｇｉｇａｌ  Ａｓｓｉｓｔａｎｔｓ）や携帯型ゲーム機等、通信機能を有する携帯端末に広く本発明は適用可能である。
【符号の説明】
【００６９】
１００…携帯電子機器、１０１…無線通信部、１０２…ＧＰＳ信号受信部、１０３…キー入力部、１０４…音声処理部、１０５…スピーカ、１０６…マイクロフォン、１０７…表示部、１０８…地磁気センサ、１０９…記憶部、１１０…充電器検出部、１１１…バッテリ部、１５０…制御部、１５１…方位算出部、１５２…表示制御部、２００…充電器、２０１…スピーカ
【図１】
2010154538.tif 000003
【図２】
2010154538.tif 000004
【図３】
2010154538.tif 000005
【図４】
2010154538.tif 000006
【図５】
2010154538.tif 000007